(57)【特許請求の範囲】
【請求項１】
配線端子を導通接続するコネクタであって、
前記コネクタは、
前記配線端子を載置できる開口部を有するベース部と、
前記開口部の内底面に設けたコネクタ端子部と、
前記開口部にスライド可能に設けられ、そのスライドにより前記開口部を開閉するスライド蓋と、
前記コネクタ端子部と前記スライド蓋との間に配置され、前記スライド蓋と同方向にスライド可能に設けた板バネと、を備え、
前記板バネは、その両端部間に支点軸を有するとともに、その両端部のうち前記コネクタ端子部に近い方の端部が加圧部になっており、
前記開口部を閉とする方向への前記スライド蓋のスライド前進時は、そのスライド前進動作に連動して、前記スライド蓋と同方向に前記板バネとその支点軸がスライド前進し、かつ、該支点軸を基点とした板バネの回転動作により当該板バネの加圧部が前記コネクタ端子部に近づき、前記コネクタ端子部上の配線端子を加圧する一方、
前記開口部を開とする方向への前記スライド蓋のスライド後退時は、そのスライド後退動作に連動して、前記スライド蓋と同方向に前記板バネとその支点軸がスライド後退し、かつ、該支点軸を基点とした板バネの回転動作により前記板バネの加圧部が前記コネクタ端子部から離れ、前記配線端子の加圧状態が解除されること
を特徴とするコネクタ。
【請求項２】
前記板バネの支点軸とその周辺付近の断面形状は、緩やかな曲率で折れ曲がったＭ字構造になっていること
を特徴とする請求項１に記載のコネクタ。
【請求項３】
前記配線端子は、熱電対その他のセンサ又はセンサ以外の各種電子部品の配線端子を含むこと
を特徴とする請求項１又は２に記載のコネクタ。
【請求項４】
前記スライド蓋の裏面両側に、該スライド蓋のスライド方向に沿って細長の凹部が設けられていて、これら細長の凹部に前記板バネの支点軸端部が遊嵌されることにより、前記板バネは、前記スライド蓋に支持固定されないで、該スライド蓋のスライド前進動作、スライド後退動作に連動してスライド前進、スライド後退すること
を特徴とする請求項１ないし３のいずれか１項に記載のコネクタ。
【発明の詳細な説明】
【技術分野】
【０００１】
本発明は、配線端子を導通接続するコネクタに関し、特に、その導通接続の際に、配線端子に接続されているリード線に曲げストレスが生ぜず、当該リード線の折り曲げによる断線等の不具合を効果的に防止でき、また、熱電対センサの検出精度を高めるのに好適なものである。
【背景技術】
【０００２】
従来、熱電対その他のセンサを計測器等の機器類に接続する方式としては、センサのリード線を機器の入力端子に直接ネジ止めする方式やコネクタを利用する方式がある。この種のコネクタとしては、例えば、クリップのようにバネ力に抗して開となる上下のソケット間にセンサの配線端子を挿入する、クリップタイプのコネクタや、特許文献１に開示されているコネクタ（同文献１の図１３、図１４及び図１６を参照）が知られている。
【０００３】
前述のクリップタイプのコネクタは、ソケット間に挿入したセンサの配線端子がソケット内面のコネクタ端子にバネ力で加圧されることにより、当該センサの配線端子とコネクタ端子とが導通接続される。これにより、当該センサは、その配線端子、ソケット内面のコネクタ端子、及び、そのコネクタ端子に接続されたリード線を通じて、計測器等の機器類に導通接続される。
【０００４】
特許文献１のコネクタは、同文献１の図１３、図１４及び図１６を参照すると、雄型コネクタ（１）と雌型コネクタ（２）とを互いに結合させることにより、雌端子（２３）のバネ力で当該雌端子（２３）が雄端子（２１）を挟み込み、両端子（２３、２１）が導通接続（電気的接続）される構成になっている（同文献１の段落０００３〜０００７の記載も参照）
【０００５】
しかしながら、前記のようにセンサの配線をネジ止めする従来方式では、ネジ止め作業が煩わしいだけでなく、ネジ止めの際にセンサのリード線が捩れる又は折れ曲がって断線したり、センサのリード線に曲げストレスが発生したりする等の問題点がある。
【０００６】
前記のようにクリップタイプのコネクタでも、センサの配線端子を上下のクリップ間に挿入する時、クリップ自体が挿入時の障害物となり、当該センサの配線端子がクリップに引っ掛かることによって、センサの配線端子からセンサ素子までのリード線（以下「センサのリード線」という）が折れ曲がって断線したり、センサのリード線に曲げストレスが発生したりする等の問題点がある。
【０００７】
特許文献１のコネクタにおいて、例えば雄端子（２１）にセンサのリード線が接続されるとしたら、雄端子（２１）は雄型コネクタ（１）に挿入されるので、この特許文献１のコネクタでも、雄端子（２１）の挿入時に、当該センサのリード線が折れ曲がって断線したり、センサのリード線に曲げストレスが発生したりする等の問題点がある。この点については雌端子（２３）にセンサのリード線が接続される場合も同様である。
【０００８】
ところで、先に説明した特許文献１のコネクタを用いて熱電対センサを計測器に接続する場合は、熱電対センサから計測器までの配線系に異種金属が挿入されることによるセンサ検出精度の低下を防止するために、その配線系に含まれる雌端子（２３）も熱電対と同じ金属材料で形成しなければならない。しかしながら、熱電対センサの構成材料がバネ材でない場合には、雌端子（２３）の構成材料として熱電対センサとは異種金属のバネ材が使用されるので、特許文献１のコネクタでは、精度の高い温度検出を行うことができないという問題点もある。
【０００９】
なお、前記カッコ内の符号は特許文献１で使用されている符号である。
【先行技術文献】
【特許文献】
【００１０】
【特許文献１】特開平０９−２７０２８１号公報
【発明の概要】
【発明が解決しようとする課題】
【００１１】
本発明は、前記問題点を解決するためになされたものであり、その目的は、配線端子に接続されているリード線の折り曲げによる断線や、曲げストレスの発生等、配線端子の導通接続時に生じる不具合を効果的に防止することができ、また、熱電対センサの検出精度を高めるのに好適なコネクタを提供することにある。
【課題を解決するための手段】
【００１２】
前記目的を達成するために、本発明は、配線端子を導通接続するコネクタであって、前記コネクタは、前記配線端子を載置できる開口部を有するベース部と、前記開口部の内底面に設けたコネクタ端子部と、前記開口部にスライド可能に設けられ、そのスライドにより前記開口部を開閉するスライド蓋と、前記コネクタ端子部と前記スライド蓋との間に配置され、前記スライド蓋と同方向にスライド可能に設けた板バネと、を備え、前記板バネは、その両端部間に支点軸を有するとともに、その両端部のうち前記コネクタ端子部に近い方の端部が加圧部になっており、前記開口部を閉とする方向への前記スライド蓋のスライド前進時は、そのスライド前進動作に連動して、前記スライド蓋と同方向に前記板バネとその支点軸がスライド前進し、かつ、該支点軸を基点とした板バネの回転動作により当該板バネの加圧部が前記コネクタ端子部に近づき、前記コネクタ端子部上の配線端子を加圧する一方、前記開口部を開とする方向への前記スライド蓋のスライド後退時は、そのスライド後退動作に連動して、前記スライド蓋と同方向に前記板バネとその支点軸がスライド後退し、かつ、該支点軸を基点とした板バネの回転動作により前記板バネの加圧部が前記コネクタ端子部から離れ、前記配線端子の加圧状態が解除されることを特徴とする。
【００１３】
前記本発明において、前記板バネの支点軸とその周辺付近の断面形状は、緩やかな曲率で折れ曲がったＭ字構造とすることにより、支点軸付近における応力集中の緩和、支点軸のスムーズな滑動、及び支点軸の剛性向上を図ってもよい。この構造によると、板バネとその支点軸とを板金加工により容易に作成することもできる。
【００１４】
前記本発明において、前記配線端子は、熱電対その他のセンサ又はセンサ以外の各種電子部品の配線端子を含むものとしてよい。
【００１５】
さらに、前記本発明においては、前記スライド蓋の裏面両側に、該スライド蓋のスライド方向に沿って細長の凹部が設けられていて、これら細長の凹部に前記板バネの支点軸端部が遊嵌されることにより、前記板バネは、前記スライド蓋に支持固定されないで、該スライド蓋のスライド前進動作、スライド後退動作に連動してスライド前進、スライド後退するように構成してもよい。このような構成によると、図４（ａ）のスライド後退区間前期では、板バネは停止し、スライド蓋だけをスライド後退させることができる。これにより、板バネのスライド後退ストロークは短くなり、それだけベース部の全長をそのスライド後退方向に短縮することができ、コネクタ全体のコンパクト化を図ることができる。
【発明の効果】
【００１６】
本発明にあっては、前記の通り、スライド蓋のスライドによりベース部の開口部が開閉する構成、及び、その開口部を開とする方向へのスライド蓋のスライド後退動作に連動して、板バネの加圧部がコネクタ端子部から離れる構成を採用した。このため、スライド蓋のスライドにより開となった開口部の上方に障害物は何もなく、障害物ないフリー空間に開口部内底面のコネクタ端子部が露出し、そのようなフリー空間から開口部内底面のコネクタ端子部上に配線端子を載置する方式で、コネクタ端子部と配線端子とを導通接続させることができるので、配線端子に接続されているリード線の折り曲げによる断線や、曲げストレスの発生等、配線端子の導通接続時に生じる不具合を効果的に防止することができる。
【００１７】
また、本発明によると、熱電対センサを計測器に接続するためのコネクタとして使用する場合、コネクタ端子部の構成材料として熱電対センサと同じ構成材料を使用することができるため、コネクタ端子部を含めて熱電対センサから計測器までの配線系全体を熱電対センサと同じ構成材料とすることが可能であり、熱電対センサの検出精度を高めるのに好適である。
【図面の簡単な説明】
【００１８】
【図１】図１（ａ）は本発明を適用したコネクタ（開の状態）の上面図、同図（ｂ）は（ａ）のＡ−Ａ断面図。
【図２】図２（ａ）から（ｃ）はスライド蓋のスライド前進により開口部を閉とする動作を時系列的に示した開口部クローズ動作説明図。
【図３】図３（ａ）は本発明を適用したコネクタ（閉の状態）の上面図、同図（ｂ）は（ａ）のＢ−Ｂ断面図。
【図４】図４（ａ）から（ｃ）はスライド蓋のスライド後退により開口部を開とする動作を時系列的に示した開口部オープン動作説明図。
【図５】図５（ａ）は図１のコネクタを構成するベース部の正面図、（ｂ）は同ベース部の背面図、（ｃ）は同ベース部の右側面図、（ｄ）は同ベース部の上面図、（ｅ）は（ｄ）のＡ−Ａ断面図。
【図６】図６（ａ）は図１のコネクタを構成するスライド蓋の裏面図、（ｂ）は同スライド蓋の側面図、（ｃ）は（ａ）のＡ−Ａ断面図、（ｄ）は（ｂ）のＢ−Ｂ断面図。
【図７】図７（ａ）は図１のコネクタを構成する板バネの斜視図、（ｂ）は同板バネの正面図、（ｃ）は同板バネの上面図、（ｄ）は同板バネの側面図。
【発明を実施するための形態】
【００１９】
以下、本発明を実施するための最良の形態について、添付した図面を参照しながら詳細に説明する。
【００２０】
《コネクタの構成概要》
図１（ａ）は本発明を適用したコネクタ（開の状態）の上面図、同図（ｂ）は（ａ）のＡ−Ａ断面図である。同図のコネクタ１は、配線端子Ｔを載置できる開口部２を有するベース部３と、開口部２の内底面に設けたコネクタ端子部４と、開口部２にスライド可能に設けられ、そのスライドにより前記開口部２を開閉するスライド蓋５と、コネクタ端子部４と前記スライド蓋５との間に配置され、スライド蓋５と同方向にスライド可能に設けた板バネ６と、を備えている。
【００２１】
また、前記板バネ６は、その両端部間に支点軸６Ａを有し、その両端部のうちコネクタ端子部４に近い方の端部が加圧部６Ｂになっている。そして、前記開口部２を閉とする方向へのスライド蓋５のスライド前進時は、そのスライド前進動作に連動して、スライド蓋５と同方向に板バネ６とその支点軸６Ａがスライド前進し、かつ、該支点軸６Ａを基点とした板バネ６の回転動作により当該板バネ６の加圧部６Ｂが前記コネクタ端子部４に近づき、コネクタ端子部４上の配線端子Ｔを加圧する。一方、前記開口部２を開とする方向へのスライド蓋５のスライド後退時は、そのスライド後退動作に連動して、スライド蓋５と同方向に板バネ６とその支点軸６Ａがスライド後退し、かつ、該支点軸６Ａを基点とした板バネ６の回転動作により当該板バネ６の加圧部６Ｂがコネクタ端子部４から離れ、前記配線端子Ｔの加圧状態が解除されるように構成してある。
【００２２】
《ベース部３の詳細》
図５（ａ）は図１のコネクタを構成するベース部の正面図、同図（ｂ）は同ベース部の背面図、同図（ｃ）は同ベース部の右側面図、同図（ｄ）は同ベース部の上面図、同図（ｅ）は（ｄ）のＡ−Ａ断面図である。
【００２３】
図５（ｅ）に示したように、ベース部３の開口部２は、ベース部３の上面から下面に向けて掘り込まれた溝形状になっていている。図１のコネクタ１では、開口部２内に段差２０を設けることで開口部２を二段構造とし、その開口部上段２１を配線端子Ｔの載置スペースとして利用している。また、図１のコネクタ１では、開口部上段２１の内底面に位置決め用突起２３を設け、この位置決め用突起２３に配線端子Ｔの位置決め用の孔（図示省略）が嵌め込みセットされることにより、いつでも開口部上段２１（配線端子Ｔの載置スペース）の同一箇所に配線端子Ｔが載置されるように構成してある。
【００２４】
《コネクタ端子部４の詳細》
コネクタ端子部４は、Ｌ字形の金具を開口部２の段差２０に取り付けることにより、Ｌ字の一部が開口部上段２１の内底面に露出配置されるように構成してある（図５（ｄ）参照）。コネクタ端子部４に接続されているコネクタリード線Ｌ１は、開口部下段２２を通ってベース部３背面の通し孔２４から外部へ引き出され、図示しない計測器等の外部機器に接続可能になっている。
【００２５】
《スライド蓋５の詳細》
図６（ａ）は図１のコネクタを構成するスライド蓋の裏面図、同図（ｂ）は同スライド蓋の側面図、同図（ｃ）は（ａ）のＡ−Ａ断面図、同図（ｄ）は（ｂ）のＢ−Ｂ断面図である。
【００２６】
図６（ａ）〜（ｄ）に示したように、スライド蓋５は天板５Ａとその両側にガイド板５Ｂを備えた構造になっており、両ガイド板５Ｂのそれぞれの内側面には係合突起５０、５１を設けている。この一方、図５（ｃ）に示したように、ベース部３の長手方向両側面には、前記係合突起５０、５１に対応してガイド溝３０が設けられており、前記両ガイド板５Ｂの係合突起５０、５１が対応するベース部３の前記ガイド溝３０に係合することにより、スライド蓋５は、ベース部３の開口部２にスライド可能に取り付けられ、そのスライドによりベース部３の開口部上段２１を開閉するように構成してある。開口部上段２１がスライド蓋５により完全に閉じられた状態は、図３（ａ）（ｂ）に示してあり、スライド蓋５のスライドにより開口部上段２１が完全に開となった状態は、図１（ａ）（ｂ）に示してある。
【００２７】
また、前記両ガイド板５Ｂ、５Ｂの係合突起５０、５１は、図６（ａ）に示したようにスライド蓋５のスライド方向に沿って一列に２つずつ設けてあり、これら２つの係合突起５０、５１のうち、第１の係合突起５０はガイド溝３０の一端内壁３０Ａ（図５（ｃ）参照）との当接により、スライド蓋５のスライド前進位置を制限する手段として機能するように構成してある。この一方、第２の係合突起５１は、ガイド溝３０の他端内壁３０Ｂ（図５（ｃ）参照）との当接により、スライド蓋５のスライド後退位置を制限する手段として機能するように構成してある。
【００２８】
図１の位置にあるスライド蓋５を図３の位置までスライド前進させたときは、第１の係合突起５０がそのスライド前進方向正面に位置するガイド溝３０の一端内壁３０Ａに当接するので、図３の位置にあるスライド蓋５はそれ以上スライド前進できない。また、図３の位置にあるスライド蓋５を図１の位置までスライド後退させたときには、第２の係合突起５１がそのスライド方向正面に位置するガイド溝３０の他端内壁３０Ｂに当接するので、図１の位置にあるスライド蓋５はそれ以上スライド後退できない。
【００２９】
《板バネ６の詳細》
図７（ａ）は図１のコネクタを構成する板バネの斜視図、同図（ｂ）は同板バネの正面図、同図（ｃ）は同板バネの上面図、同図（ｄ）は同板バネの側面図である。
【００３０】
図７（ａ）〜（ｃ）に示したように、前記板バネ６の支点軸６Ａは板バネ６の両側から水平に突出しており、この突出した支点軸６Ａの両端部をベース部３の開口部両側上縁２Ａ（図５（ｄ）（ｅ）参照）に載せることにより、板バネ６は、コネクタ端子部４とスライド蓋５との間に配置されるとともに（図１（ｂ）、図３（ｂ）参照）、その支点軸６Ａの端部がベース部３の開口部両側上縁２Ａを滑動する形式で、スライド蓋５と同方向へスライド（スライド前進又はスライド後退）できるように構成してある。
【００３１】
また、前記板バネ６は、その支点軸６Ａを頂点として山形状に折れ曲がった形態になっており（図７（ａ）（ｄ）参照）、板バネ６の加圧部６Ｂは、その山形状の裾部分を緩やかな曲率の円弧形状に折り曲げた形態（図７（ａ）（ｄ）参照）とすることにより、配線端子Ｔを傷つけないように構成してある。
【００３２】
前記板バネ６とその支点軸６Ａは板金加工によって一体成形することができる。この場合、支点軸６Ａがスムーズにベース部３の開口部両側上縁２Ａを滑動できるようにすること、及び、支点軸６Ａの剛性を高めることを目的として、板バネ６の支点軸６Ａの断面形状は、円形又は半円形あるいはＵ字形等、円弧形状とする必要がある（図７（ａ）（ｄ）参照）。
【００３３】
また、配線端子Ｔとコネクタ端子部４との良好な接触を図るため、板バネ６の加圧部６Ｂで配線端子Ｔを加圧するときの加圧力（荷重）は所定値以上に大きくする必要がある。しかし、板バネ６の加圧部６Ｂで配線端子Ｔを加圧したときの反力で板バネ６は撓み、その撓み変形による応力集中が板バネ６の支点軸６Ａ付近に生じるので、支点軸６Ａ付近での繰返し応力による金属疲労破壊を回避する観点より、板バネ６の支点軸６Ａ付近の断面形状は、緩やかな曲率で折れ曲がった形状とする必要がある（図７（ａ）（ｄ）参照）。
【００３４】
そこで、図１のコネクタ１では、板バネ６の支点軸６Ａとその周辺付近の断面形状の一例として、図７（ｄ）のように緩やかな曲率で折れ曲がったＭ字構造を採用することにより、支点軸６Ａ付近における応力集中の緩和、支点軸６Ａのスムーズな滑動、及び支点軸６Ａの剛性向上を図っている。
【００３５】
《スライド蓋５のスライド前進動作又はスライド後退動作に連動して、板バネ６とその支点軸６Ａがスライド前進又はスライド後退する構成の詳細》
以下の説明では、便宜上、図１の位置にあるスライド蓋５が図３の位置までスライド前進するスライド区間を「スライド前進区間」という。また、このスライド前進区間において、図１（ｂ）の位置にあるスライド蓋５が図２（ａ）の位置までスライド前進するスライド区間を「スライド前進区間前期」といい、図２（ａ）の位置にあるスライド蓋が図２（ｂ）の位置までスライド前進するスライド区間のことを「スライド前進区間中期」といい、図２（ｂ）の位置にあるスライド蓋が図２（ｃ）や図３（ｂ）の位置までスライド前進する区間のことを「スライド前進区間後期」という。
【００３６】
また、図３の位置にあるスライド蓋５が図１の位置までスライド後退するスライド区間を「スライド後退区間」という。また、このスライド後退区間において、図３（ｂ）の位置にあるスライド蓋５が図４（ａ）の位置までスライド後退するスライド区間のことを「スライド後退区間前期」といい、図４（ａ）の位置にあるスライド蓋が図４（ｂ）の位置までスライド後退するスライド区間のことを「スライド後退区間中期」といい、図４（ｂ）の位置にあるスライド蓋が図４（ｃ）や図１（ｂ）の位置までスライド後退する区間のことを「スライド後退区間後期」という。
【００３７】
先に説明したように、板バネ６とその支点軸６Ａはスライド蓋５のスライドに連動してスライド蓋５と同方向にスライド前進又はスライド後退する。この連動を実現するための具体的な構造として、図１のコネクタ１では、図６（ａ）に示したように、スライド蓋５の裏面（天板部５Ａの裏面）両側に、スライド蓋５のスライド方向に沿って細長の凹部（以下「細長凹部５２」という）を設け、これら細長凹部５２に板バネ６の支点軸６Ａ端部を遊嵌する構成を採用した（図１（ｂ）、図３（ｂ）参照）。
【００３８】
そして、図２（ａ）のスライド前進区間前期では、スライド蓋５のスライド前進により細長凹部５２の長手方向一端内壁５２Ａが板バネ６の支点軸６Ａに近づく。このとき、板バネ６の支点軸６Ａ端部は、細長凹部５２の一端内壁５２Ａに接触しておらず、板バネ６とその支点軸６Ａは、スライドしないで停止している。
【００３９】
次に、図２（ａ）スライド前進区間前期から同図（ｂ）のスライド前進区間中期に移行すると、そのスライド前進区間中期では、板バネ６の支点軸６Ａ端部に細長凹部５２の長手方向一端内壁５２Ａが接触し、その長手方向一端内壁５２Ａで板バネ６の支点軸６Ａ端部が押圧される。これにより、板バネ６とその支点軸６Ａはスライド蓋５と同方向に連動してスライド前進する。この連動の原理は図２（ｃ）のスライド前進区間後期でも同様である。
【００４０】
また、図４（ａ）のスライド後退区間前期では、スライド蓋５のスライド後退により細長凹部５２の長手方向他端内壁５２Ｂが板バネ６の支点軸６Ａに近づく。このとき、板バネ６の支点軸６Ａ端部は、細長凹部５２の他端内壁５２Ｂに接触しておらず、板バネ６とその支点軸６Ａは、スライドしないで停止している。
【００４１】
そして、図４（ａ）スライド後退区間前期から同図（ｂ）のスライド後退区間中期に移行すると、そのスライド後退区間中期では、板バネ６の支点軸６Ａ端部に細長凹部５２の長手方向他端内壁５２Ｂが接触し、その長手方向他端内壁５２Ａで板バネ６の支点軸６Ａ端部が押圧される。これにより、板バネ６とその支点軸６Ａは、スライド蓋５と同方向に連動してスライド後退する。この連動の原理は、図４（ｃ）のスライド後退区間後期でも同様である。
【００４２】
以上のように、図１のコネクタ１では、スライド蓋５がスライド後退するときに、これに連動して板バネ６もスライド蓋５と同方向にスライド後退するので、図１（ａ）（ｂ）のように、スライド蓋５のスライドにより開となった開口部上段２１の上方に障害物は何もなく、開口部上段２１の上方は障害物のないフリー空間になり、このフリー空間に開口部２内底面のコネクタ端子部４が露出する。
【００４３】
ところで、スライド蓋５に板バネ６の支点軸６Ａを支持固定する構造も考えられる。しかし、この構造によると、図４（ａ）のスライド後退区間前期の初めからスライド蓋５と一体的に板バネ６もスライド後退し始めるので、板バネ６のスライド後退ストロークが長く、それだけベース部３の全長をそのスライド後退方向に拡張しなければならず、コネクタ１全体が長く大型化してしまう。
【００４４】
この一方、前記のようにスライド蓋５に板バネ６を支持固定しない構造であって、スライド蓋５と板バネ６が連動してスライドする構造（フローティング構造）によると、スライド後退区間前期では、上述の通り板バネ６は停止しており、スライド蓋５だけがスライド後退するので、板バネ６のスライド後退ストロークは短く、それだけベース部３の全長をそのスライド後退方向に短縮することができ、コネクタ１全体のコンパクト化を図ることができる。
【００４５】
《スライド蓋５のスライドに連動して、板バネ６の加圧部６Ｂがコネクタ端子部４に近づいたりコネクタ端子部４から離れたりする構成の詳細》
先に説明したように、板バネ６の加圧部６Ｂは、スライド蓋５のスライド前進又はスライド後退に連動して、支点軸６Ａを基点としてコネクタ端子部４に近づいたりコネクタ端子部４から離れたりする。このような板バネ６の加圧部６Ｂの動作を実現するための具体的な構造例として、図１のコネクタ１では、図５（ｄ）に示したように、開口部２の段差２０付近に、当該開口部２の内側壁から内向きに張り出した凸部２４を設けている。
【００４６】
そして、図２（ａ）のスライド前進区間前期及び同図（ｂ）のスライド前進区間中期において、板バネ６は、図１（ｂ）の姿勢をほぼ維持するが、図２（ｂ）のスライド前進区間中期から図２（ｃ）のスライド前進区間後期に移行すると、そのスライド前進区間後期では、板バネ６とその支点軸６Ａのスライド前進により、板バネ６の裏面が凸部２４の後端２４Ｂに当接する。この当接による反力で、板バネ６の他方側（板バネ６の加圧部６Ｂと反対の端部６Ｃから支点軸６Ａまでの範囲）が押圧され、板バネ６がその支点軸６Ａを基点として図２（ｃ）中の半時計回り矢印方向に回転動作することにより、板バネ６の加圧部６Ｂはコネクタ端子部４に近づく。
【００４７】
また、図４（ａ）のスライド後退区間前期及び同図（ｂ）のスライド後退区間中期において、板バネ６は、図３（ｂ）の姿勢をほぼ維持するが、図４（ｂ）のスライド後退中期期間から図４（ｃ）のスライド後退区間後期に移行すると、そのスライド後退区間後期では、板バネ６とその支点軸６Ａのスライド後退により、板バネ６の裏面が凸部２４の前端２４Ａに当接する。この当接による反力で、板バネ６の一方側（板バネ６の加圧部６Ｂから支点軸６Ａまでの範囲）が押圧され、板バネ６はその支点軸６Ａを基点として図４（ｃ）中の時計回り矢印方向に回転動作することにより、板バネ６の加圧部６Ｂはコネクタ端子部４から離れる。
【００４８】
《スライド蓋５のスライドロック構造の詳細》
図２（ｃ）のスライド前進区間後期では、先に説明したように、板バネ６は、凸部２４の後端２４Ｂとの当接による反力で所定量突き上げられ、スライド蓋５を全体的に上方へ所定量持ち上げる。図５（ｃ）に示したように、ガイド溝３０の一端内壁には、スライド蓋５の方向に向けて切欠き３１が形成してあり、前記のように持ち上がったスライド蓋５の第１の係合突起５０（図６（ａ）参照）がその切欠き３１に入り込むことにより、図３の位置にあるスライド蓋５は、そのスライド位置がロックされる。このようなスライド位置のロックはスライド蓋５をベース部３側へ軽く押し込むことにより解除される。
【００４９】
《コネクタの使用方法など》
次に、以上のように構成された図１のコネクタの使用方法などについて、図１及び図３を基に説明する。
【００５０】
図１のコネクタ１には、熱電対その他のセンサ又はセンサ以外の各種電子部品の配線端子Ｔを導通接続することができる。かかる配線端子Ｔを導通接続するときは、図３の位置にあるスライド蓋５を図１の位置までスライド後退させる。
【００５１】
そうすると、ベース部３の開口部上段２１が開となる。また、前記のようなスライド蓋５のスライド後退動作に連動して、板バネ６とその支点軸６Ａがスライド蓋５と同方向にスライド後退し、かつ、該支点軸６Ａを基点とした板バネ６の回転動作により板バネ６の加圧部６Ｂがコネクタ端子部４から離れる。これにより、開口部２内底面のコネクタ端子部４がその上に障害物のないフリー空間に露出するので、このフリー空間からコネクタ端子部４上に配線端子Ｔを載置する。
【００５２】
そして、前記のようにコネクタ端子部４上に配線端子Ｔを載置したら、スライド蓋５を図３の位置までスライド前進させる。
【００５３】
そうすると、ベース部２の開口部上段２１がスライド蓋５で塞がれ閉となる。また、前記のようなスライド蓋５のスライド前進動作に連動して、板バネ６とその支点軸６Ａがスライド蓋５と同方向にスライド前進し、かつ、該支点軸６Ａを基点とした板バネ６の回転動作により板バネ６の加圧部６Ｂがコネクタ端子部４に近づき、コネクタ端子部４上の配線端子Ｔを加圧する。これにより、配線端子Ｔとコネクタ端子部４との良好な接触状態が得られるようになる。
【００５４】
以上説明したように、本実施形態のコネクタ１にあっては、スライド蓋５のスライドによりベース部３の開口部２が開閉する構成、及び、その開口部２を開とする方向へのスライド蓋５のスライド後退動作に連動して、板バネ６の加圧部６Ｂがコネクタ端子部４から離れる構成を採用した。このため、スライド蓋５のスライドにより開となった開口部２の上方に障害物は何もなく、障害物ないフリー空間に開口部２内底面のコネクタ端子部４が露出し、そのようなフリー空間から開口部２内底面のコネクタ端子部４上に配線端子Ｔを載置する方式で、コネクタ端子部４と配線端子Ｔを導通接続させることができるので、配線端子Ｔに接続されているリード線Ｌ２（図１（ａ）参照）の折り曲げによる断線や、曲げストレスの発生等、配線端子の導通接続時に生じる不具合を効果的に防止することができる。
【００５５】
また、本実施形態のコネクタ１によると、熱電対センサを計測器に接続するためのコネクタとして使用する場合、コネクタ端子部４の構成材料として熱電対センサと同じ構成材料を使用することができるため、コネクタ端子部４を含めて熱電対センサから計測器までの配線系全体を熱電対センサと同じ構成材料とすることが可能であり、熱電対センサの検出精度を高めることができる。
【符号の説明】
【００５６】
１  コネクタ
２  開口部
２Ａ  開口部両側上縁
２０  段差
２１  開口部上段
２２  開口部下段
２３  位置決め用突起
２４  凸部
２４Ａ  凸部の前端
２４Ｂ  凸部の後端
３  ベース部
３０  ガイド溝
３１  ガイド溝の切欠き
３０Ａ  ガイド溝の一端内壁
３０Ｂ  ガイド溝の他端内壁
４  コネクタ端子部
５  スライド蓋
５Ａ  天板
５Ｂ  ガイド板
５０、５１  係合突起
５２  細長凹部
５２Ａ  細長凹部の長手方向一端内壁
５２Ｂ  細長凹部の長手方向他端内壁
６  板バネ
６Ａ  板バネの支点軸
６Ｂ  板バネの加圧部
Ｔ  配線端子
Ｌ１  コネクタリード線
Ｌ２  配線端子のリード線
【図１】
0005321920.tif 000002
【図２】
0005321920.tif 000003
【図３】
0005321920.tif 000004
【図４】
0005321920.tif 000005
【図５】
0005321920.tif 000006
【図６】
0005321920.tif 000007
【図７】
0005321920.tif 000008